(57)【特許請求の範囲】
【請求項１】
容器体２の口頸部３に基端を固定して上方へノズル４を起立させるとともに、容器体内の収納鼻薬をノズル４先端より噴出する噴出機構を備えてなる鼻薬用容器に於いて、上記口頸部３又はノズル４外周に着脱可能に嵌合させた嵌合部10前面より前方へ連結板11を突設するとともに、連結板11先端に内面下部中央部を一体に連結させ、且つ、ノズル前方を被覆してノズル挿入部分を隠すための遮蔽板12を起立させてなる遮蔽部材５を着脱可能に設けてなることを特徴とする鼻薬用容器。
【請求項２】
上記遮蔽部材５を取り外した際に、上下逆さまの状態で装着可能に構成してなる請求項１記載の鼻薬用容器。
【請求項３】
上記噴出機構が、圧搾可能な胴部６に構成した容器体２の胴部６を圧搾することにより収納鼻薬をノズル先端より噴出する如く構成した噴出機構である請求項１記載の鼻薬用容器。
【請求項４】
上記噴出機構が、容器体上端より上方付勢状態で上下動可能にノズル４を起立させ、該ノズルの押し下げにより内蔵ポンプ機構の作用で収納鼻薬をノズル先端より噴出する如く構成した噴出機構である請求項１記載の鼻薬用容器。
【請求項５】
上記嵌合部１０が、前方より口頚部３下部に押し開き嵌合させた開環帯状の嵌合部１０ａ  である請求項１記載の鼻薬用容器。
【請求項６】
上記嵌合部１０が、ノズル４上方より挿入してノズル外周に嵌合させる環状の嵌合部１０ｂ  である請求項１記載の鼻薬用容器。
【発明の詳細な説明】
【０００１】
【発明の属する技術分野】
本発明は鼻薬用容器に関する。
【０００２】
【従来の技術】
鼻薬容器として、例えば、圧搾可能な胴部より口頚部を起立してなる容器体と、上記口頚部上端に嵌着させた注出ノズルとを備えてなるものがある。これらは、使用にあたり、注出ノズルの先端を鼻孔直下に位置させ、或いは鼻孔内に挿入し、容器体胴部を圧搾することにより、収納液を鼻孔内に噴出させて使用する。
【０００３】
また、容器体にポンプ機構を備えたものも知られている。これらは、容器体の上端に上方付勢状態で押し下げ可能に注出ノズルを起立させ、該ノズルを押し下げることにより、内蔵したポンプ機構が作動して収納液を注出ノズル先端より噴出する如く構成したものである。この場合も、注出ノズルの先端を鼻孔直下に位置させ、或いは鼻孔内に挿入させて使用する。
【０００４】
【発明が解決しようとする課題】
上記従来の容器は、注出ノズル先端を鼻孔直下に位置させ、或いは鼻孔内に挿入して使用するため、特に液の飛散等を考慮すれと鼻孔内に挿入して使用するのが一般的であるため、人前での使用が不向きであった。
【０００５】
そこで、本発明は、従来のこの種容器に若干の改良を加えて、人前での使用にも耐え得る容器を提案するものである。
【０００６】
また、上記目的に加え、遮蔽部材の着脱が容易であり、液の噴出が行い易く、取り扱いが便利な利点を兼ね備えた容器、或いはノズル先端を閉塞する螺子キャップを装着させることができて、不使用時には液の漏出の確実な防止を図れる利点を兼ね備えた容器を提案するものである。
【０００７】
【課題を解決するための手段】
本請求項１発明の容器は上記課題を解決するため、容器体２の口頸部３に基端を固定して上方へノズル４を起立させるとともに、容器体内の収納鼻薬をノズル４先端より噴出する噴出機構を備えてなる鼻薬用容器に於いて、上記口頸部３又はノズル４外周に着脱可能に嵌合させた嵌合部10前面より前方へ連結板11を突設するとともに、連結板11先端に内面下部中央部を一体に連結させ、且つ、ノズル前方を被覆してノズル挿入部分を隠すための遮蔽板12を起立させてなる遮蔽部材５を着脱可能に設けてなることを特徴とする鼻薬用容器として構成した。
【０００８】
また、請求項２発明の容器は、上記遮蔽部材５を取り外した際に、上下逆さまの状態で装着可能に構成してなる請求項１記載の鼻薬用容器として構成した。
【０００９】
また、請求項３発明の容器は、上記噴出機構が、圧搾可能な胴部６に構成した容器体２の胴部６を圧搾することにより収納鼻薬をノズル先端より噴出する如く構成した噴出機構である請求項１記載の鼻薬用容器として構成した。
【００１０】
また、請求項４発明の容器は、上記噴出機構が、容器体上端より上方付勢状態で上下動可能にノズル４を起立させ、該ノズルの押し下げにより内蔵ポンプ機構の作用で収納鼻薬をノズル先端より噴出する如く構成した噴出機構である請求項１記載の鼻薬用容器として構成した。
【００１１】
また、請求項５発明の容器は、上記嵌合部１０が、前方より口頚部３下部に押し開き嵌合させた開環帯状の嵌合部１０ａ  である請求項１記載の鼻薬用容器として構成した。
【００１２】
また、請求項６発明の容器は、上記嵌合部１０が、ノズル４上方より挿入してノズル外周に嵌合させる環状の嵌合部１０ｂ  である請求項１記載の鼻薬用容器として構成した。
【００１３】
【発明の実施の形態】
以下、本発明の実施例の形態を図面を参照して説明する。
本発明容器１は、容器体２の口頚部３に基端を固定して上方へノズル４を起立させるとともに、容器体内の収納鼻薬をノズル４先端より噴出する噴出機構を備えてなる鼻薬用容器であって、遮蔽部材５を着脱可能に設けている。
【００１４】
図１乃至図３に示す実施例は、圧搾可能に構成した容器体２の胴部を圧搾することにより収納鼻薬をノズル先端より噴出する如く構成した噴出機構を備えている。
【００１５】
本実施例に於いて、容器体２は、形成する合成樹脂の材質或いは厚み等の選択により圧搾可能に構成した胴部６を有し、該胴部６の上端より口頚部３を起立して構成している。また，口頚部３の上部外周には螺条７を周設してキャップ８を螺着可能に構成し、口頚部３下部を遮蔽部材５の嵌合部分Ａに構成している。
【００１６】
ノズル４は、口頚部３上端内面に下部を液密に嵌着固定させるとともに、下部外周より突設したフランジ９を口頚部上面に当接係止させて基端部を固定し、上方へ起立させている。
【００１７】
遮蔽部材５は、上記口頚部３の外周に嵌合させた嵌合部１０前面より前方へ連結板１１を突設し、また、この連結板１１先端に内面下部中央を一体に連結させてノズル前方を被覆する遮蔽板１２を起立させている。本実施例に於ける嵌合部１０は、横断面がＣ字状をなす開環帯状の嵌合部１０ｃ  であり、上記口頚部の嵌合部分Ａに、その前方より開環部を押圧して広げスナップフィット式に嵌合させたものである。従って、外す場合も前方へ引き抜けば良い。
【００１８】
また遮蔽板１２は、収納液を噴出させる際に、その注入部分を隠して、羞恥心を和らげ、人前での使用にも耐える様に設けたものであり、従って、少なくとも鼻孔部分を隠せる大きさが好ましい。また、取り外した際に、上下逆さまの状態で装着可能に構成している。その際は、図２に示す如く、遮蔽板１２が容器体胴部６前方に位置し、容器全体をコンパクトに形成できるため、保管，運搬に便利となる如く構成している。
【００１９】
上記容器１は、例えば図３に示す如く、そのノズル４先端を鼻孔１３に挿入し、胴部６を圧搾させることにより、収納液をノズル４先端より噴出させる。この際、遮蔽板１２はノズル挿入部位を隠して前方からは見えない。
【００２０】
図４及び図５に示す実施例では、容器体上端より上方付勢状態で上下動可能にノズル４を起立させ、該ノズルの押し下げにより内蔵したポンプ機構の作用で収納鼻薬をノズル先端より噴出する如く構成した噴出機構を備えたものである。
【００２１】
本実施例では、容器体口頚部外周に螺着させた装着筒１４により、内部に公知のポンプ機構を備えたノズル４付きのポンプ装置を容器体２に固定したもので、ノズル４の外面下部より左右にノズル押し下げ用の係止板１５を突設させている。そして、この係止板１５を押し下げることにより、ノズル４が上方付勢状態に抗して下降し、内部のポンプ機構により収納液をノズル先端より噴出させ、また、係止板１５の押圧を解除すると、上方付勢力によりノズルが上昇して元の状態に戻る如く構成している。
【００２２】
また、本実施例に於ける遮蔽部材５は、ノズル４上方より挿入し、上記係止板１５上部に嵌合させたリング状の嵌合部１０を有し、該嵌合部１０前面より前方へ連結板１１を突設し、該連結板１１先端に遮蔽板１２内面下部中央を一体に連結して構成している。本実施例の遮蔽板１２はハート形状に形成して係止板１５に指を掛け易く構成している。また、ノズル４上部には周壁内周に螺条のないキャップ８を着脱可能に嵌合させている。
【００２３】
この容器を使用する場合も上記実施例と同様に、そのノズル４先端を鼻孔１３に挿入し、次いで、係止板１５を押し下げることにより、収納液をノズル４先端より噴出させる。
【００２４】
尚、上記噴出機構として、上方付勢状態で上下動可能に起立させたノズルを押し下げることにより内蔵吐出弁が開弁し、収納ガス圧により収納液をノズル先端より噴出させる如く構成した、所謂エアゾールタイプの噴出機構を採用することも可能である。また、上記各部材は合成樹脂により形成すると良い。
【００２５】
【発明の効果】
以上説明した如く本発明容器は、容器体の口頚部又はノズル外周に着脱可能に嵌合させた嵌合部前面より前方へ連結板を突設するとともに、連結板先端に内面下部中央部を一体に連結させてノズル前方を被覆する遮蔽板を起立させてなる遮蔽部材を設けたので、使用時に遮蔽板がノズル挿入部分を隠し、羞恥心を和らげて人前での使用も不都合のない便利なものである。
【００２６】
また、遮蔽部材は極めて単純な構造であり、しかも従来使用されている容器に装着して使用することができるため、安価に製造できる利点も兼ね備えている。
【００２７】
また、取り外した遮蔽部材を上下逆さま状態で装着可能に構成したものにあっては、不使用時に遮蔽板が容器体前方に位置して嵩張らず、全体をコンパクトにすることができ、保管，運搬等に便利となる効果を併せ持つ。
【００２８】
また、圧搾可能に構成した容器体の胴部を圧搾することにより収納鼻薬をノズル先端より噴出する如く構成した噴出機構を有するものにあっては、圧搾部分が遮蔽部材の下方に位置するため、液の噴出が行い易いという利点を兼ね備えている。
【００２９】
また、容器体上端より上方付勢状態で上下動可能にノズルを起立させ、該ノズルの押し下げにより収納鼻薬をノズル先端より噴出する如く構成した噴出機構を有するものにあっては、ノズル押し下げ幅を常時略一定にすることができるため、その液の注出量も常時略一定にすることができる利点を兼ね備えている。
【００３０】
また、前方より口頚部下部に押し開き嵌合させた開環帯状の嵌合部を有するものにあっては、その口頚部上方外面に螺子キャップを螺着させる如く構成できるため、不使用時のキャップが不用意に外れる等の虞がなく、確実に液の漏出を防止できるという効果を兼ね備えている。
【００３１】
更に、ノズル上方より挿入してノズル外面に嵌合させた環状の嵌合部を有するものにあっては、遮蔽部材の着脱をより容易に行えるという利点を兼ね備えている。
【図面の簡単な説明】
【図１】本発明の一実施例を示す斜視図である。
【図２】同実施例の使用状態の斜視図である。
【図３】同実施例の遮蔽部材を逆さまに装着した状態の斜視図である。
【図４】本発明の他の実施例の使用状態の斜視図である。
【図５】同実施例の遮蔽部材を逆さまに装着した状態の斜視図である。
【符号の説明】
２…容器体，３…口頚部，４…ノズル，５…遮蔽部材，６…容器体胴部，
１０，１０ａ  ，１０ｂ  …嵌合部，１１…連結板，１２…遮蔽板
【図１】
0003611909.tif 000002
【図２】
0003611909.tif 000003
【図３】
0003611909.tif 000004
【図４】
0003611909.tif 000005
【図５】
0003611909.tif 000006